(57)【要約】【課題】高さ調節可能な支柱用の収容体を提供する。【解決手段】高さ調節可能な支柱の収容体であって、支柱の周囲に環状に配置され、かつ、互いに入れ子式に係合し支柱の軸方向において互いに対して摺動することができる、複数の収容体エレメント（１２）を備える収容体であって、収容体エレメント（１２）が、各々、リング状に曲げられた材料帯（１４）からなり、その当接縁（１６）が、各々、後方に曲げられたさねはぎ部（２０）を有し、Ｃ型断面を有しさねはぎ部を留める保持クリップ（２２）によって互いに接続される、収容体において、さねはぎ部（２０）のうちの少なくとも１つに凹部（２６）が設けられ、その凹部（２６）内に、保持クリップ（２２）に設けられた係止エレメント（２８）を係合させることができる。【選択図】図１
2010005397.tif 000002
【特許請求の範囲】
【請求項１】
高さ調節可能な支柱の収容体であって、前記支柱の周囲に環状に配置され、かつ、互いに入れ子式に係合し前記支柱の軸方向において互いに対して摺動することができる、複数の収容体エレメント（１２）を備え、前記収容体エレメント（１２）が、各々、リング状に曲げられた材料帯（１４）からなり、その当接縁（１６）が、各々、後方に曲げられたさねはぎ部（２０）を有し、Ｃ型断面を有し前記さねはぎ部を留める保持クリップ（２２）によって互いに接続される、収容体であり、前記さねはぎ部（２０）のうちの少なくとも１つに凹部（２６）が設けられ、前記凹部（２６）内に、前記保持クリップ（２２）に設けられた係止エレメント（２８）を係合させることができることを特徴とする、収容体。
【請求項２】
前記保持クリップ（２２）が金属製であり、前記係止エレメント（２８）が可撓性舌状部として形成されることを特徴とする、請求項１に記載の収容体。
【請求項３】
前記舌状部（２８）が、前記保持クリップ（２２）のＣ脚の端部に形成されることを特徴とする、請求項２に記載の収容体。
【請求項４】
前記収容体エレメント（１２）が鋼製であり、前記保持クリップ（２２）が摺動可能材料から作製されることを特徴とする、請求項２または３に記載の収容体。
【請求項５】
前記保持クリップ（２２）が銅合金製であることを特徴とする、請求項４に記載の収容体。
【請求項６】
各収容体エレメント（１２）の内側に、それぞれの内側の収容体エレメント（１２）の外側に対して当接するよう意図された摺動エレメント（１８）が設けられることを特徴とする、請求項１〜５のいずれか一項に記載の収容体。
【発明の詳細な説明】
【技術分野】
【０００１】
本発明は、複数の収容体エレメントを備えた、高さ調節可能な支柱用の収容体であって、複数の収容体エレメントが、環状に支柱を包囲し、支柱の軸方向に入れ子式に係合するように互いに対して移動することが可能であり、収容体エレメントが各々、リング状に曲げられた材料帯からなり、その当接する縁が、各々、後方に折り曲げられたさねはぎ部を備え、Ｃ型断面を有しかつ、さねはぎ部を留める保持クリップにより、互いに接続される、高さ調節可能な支柱用の収容体に関する。
【背景技術】
【０００２】
詳細には、当該収容体は手術台の支柱用である。収容体を交換する必要がある場合、あるいは保守または修理のために支柱に触れる必要がある場合、収容体の環状エレメントを開放しなければならない。この目的のために、保持クリップを取り除かなければならない。既知の解決法では、さねはぎ部の長手方向端部近くに切れ目が設けられる。その切れ目はさねはぎ部の長手方向に対して垂直に延在しており、それにより、保持クリップが上を摺動すると、前記切り目を設けることによって形成されたローブを、保持クリップの後方で収容体エレメントの壁に向かって折り返すことができる。
【発明の概要】
【発明が解決しようとする課題】
【０００３】
ローブを収容体エレメントの壁に対して押している時と、保持クリップを再び解放するためにローブを壁から離れる方向に曲げている時との両方において、収容体エレメントの外側に損傷を与える危険がある。
【０００４】
したがって、本発明の目的は、上述したタイプの収容体に、保持クリップが一方ではその係止位置に確実に係止されることが可能であり、他方では収容体エレメントに損傷を与えることなく再び解放されることが可能であるように、係止装置を提供することである。
【課題を解決するための手段】
【０００５】
この目的は、本発明により、さねはぎ部のうちの少なくとも１つに凹部を設け、その凹部内に、保持クリップに設けられた係止エレメントが係合可能であるようにすることによって、解決される。
【０００６】
保持クリップに係止エレメントを設けることにより、保持クリップを係止しかつ解放するために、収容体エレメント自体ではなく保持クリップを操作するだけでよく、それにより、環状収容体エレメントの開放または閉鎖中に収容体エレメントを損傷させる危険が回避される。
【０００７】
好ましくは、保持クリップは金属製であり、係止エレメントは、可撓性舌状部の形態で作製される。したがって、舌状部を、さねはぎ部に設けられた凹部と係合するようにまたは係合解除するように、単純に撓曲させることができる。舌状部を、たとえば、保持クリップのＣ脚の端部に設けることができる。
【０００８】
概して、収容体エレメントを、鋼、たとえばＶ２Ａ鋼から作製することができ、その場合、保持クリップは、銅合金等の摺動材料から作製されることが好ましい。
【０００９】
収容体エレメントの外側に引掻き傷を付けることなく、収容体エレメントを互いに対して摺動させるのを可能にするために、有利には、それぞれの内側の収容体エレメントの外側に接して位置するように意図された摺動エレメントが、各収容体エレメントの内側に配置される。
【００１０】
以下の説明は添付図面とともに、例示的な実施形態により本発明を説明する。
【図面の簡単な説明】
【００１１】
【図１】柱収容体の概略図を示す。
【図２】単一収容体エレメントの拡大斜視図を示す。
【図３】保持クリップが摺動しているかまたは取り除かれている間の収容体エレメントの係止部分の拡大図を示す。
【図４】保持クリップが完全に摺動した、図３に類似する図を示す。
【図５】収容体エレメントの係止部分の拡大図を示し、係止エレメントは、さねはぎ部に設けられた凹部に係合している。
【図６】従来の収容体エレメントの図４に類似する図を示す。
【発明を実施するための形態】
【００１２】
図１は、手術台の高さ調節可能な支柱（図示せず）用の、概して１０で示す収容体を示す。収容体１０は、複数の環状収容体エレメント１２からなり、それらは互いに入れ子式に係合し、それらを、双方向矢印Ａの方向に、すなわち収容体１０によって包囲される支柱の調節方向にそれぞれ、合わさるように押すかまたは引き離すことができる。
【００１３】
図２に、単一収容体エレメント１２を示す。このエレメントは、通常Ｖ２Ａ鋼等の鋼製である材料帯１４からなり、それはリング状に曲げられており、その長手方向端部１６は互いに当接して、図３乃至図５に示すような保持クリップによって互いに接続されることが可能である。それぞれの収容体エレメント１２の内側には摺動エレメント１８が設けられており、それらは、それぞれの収容体エレメントと係合する隣接した収容体エレメントの外側に対して当接するように意図されており、それによりこの収容体エレメントの外側の引掻きが防止される。
【００１４】
図１に対応する入れ子状収容体自体は既知であり、したがって、詳細に説明する必要はない。
【００１５】
図６は、材料帯１４の端部１６が既知の収容体エレメント１２において互いに接続される方法を示す。材料帯１４は、さねはぎ部２０を形成するように、互いに面しているその端部すなわち縁１６において後方に曲げられており、それにより、さねはぎ部２０は、収容体エレメント１２の壁に対して平行に延在している。これらさねはぎ部２０の上で保持クリップ２２が摺動し、保持クリップ２２の断面はＣ型である。さねはぎ部２０の長手方向端部の近くにスリット２４が設けられており、スリットは、さねはぎ部の長手方向に対して横切る方向に延在している。これらスリット２４を作成する際に形成されたローブを、保持クリップ２２が摺動した後に（図６）、たとえばさねはぎ部２０をこの位置でカリパスを用いて収容体エレメント１２の壁に対して押すことにより、収容体エレメント１２の壁に向かう方向に曲げることができる。これにより、保持クリップ２２は、図６に示すその位置の適所に係止される。保持クリップ２２を取り除き収容体エレメント１２を開放することができるためには、ローブを収容体エレメント１２の壁から離れる方向に、かつ図６に示す位置に戻るように曲げなけばならない。ローブを壁に対して曲げる時と、それらを戻るように曲げる時との両方において、収容体エレメント１２の外側を損傷させる危険がある。さらに、保持クリップ２２をいかなる問題もなく取り除くことができるようにするためには、ローブを、さねはぎ部２０の残りの部分と正確に位置合せされるように戻さなければならない。
【００１６】
既知の解決法の上述した欠点をなくすために、それぞれのさねはぎ部２０の上端近くに凹部２６が設けられ（図２および図５）、保持クリップが図４に示す位置まで摺動した後に、図５に示すように、凹部内に、保持クリップ２２のＣ脚に形成された舌状部２８を係合させることができ、それにより、保持クリップ２２が抜けることが防止される。保持クリップは銅合金からなることが好ましいため、舌状部２８を凹部２６に入りかつ凹部２６から出るように単純に曲げることができ、必要な場合は、これを繰返し行うことができる。いずれの場合も、保持クリップのみが変形し、収容体エレメント１２の材料帯１４は変形しない。
【００１７】
保持クリップ２２が下方向に外れないように、さねはぎ部２０のそれぞれの下端を適当に変形させることができる。収容体エレメントを開放するためには保持クリップ２２を一方向に外すことができることで十分であるため、上記変形を永久的に行うことができる。
【００１８】
上記例示的な実施形態では、係止エレメントを、保持クリップに設けられかつ係合し係合解除するように曲げられる舌状部として示した。しかしながら、当然ながら、凹部２６内に自動的に係合する弾性留め具であって、そのばね付勢に対して凹部２６から撓むことができる弾性止め具の形態の係止エレメントを提供することも可能である。
【符号の説明】
【００１９】
１０  収容体
１２  収容体エレメント
１４  材料帯
１６  端部
１８  摺動エレメント
２０  さねはぎ部
２２  保持クリップ
２４  スリット
２６  凹部
２８  舌状部
【図１】
2010005397.tif 000003
【図２】
2010005397.tif 000004
【図３】
2010005397.tif 000005
【図４】
2010005397.tif 000006
【図５】
2010005397.tif 000007
【図６】
2010005397.tif 000008